(57)【要約】  クロスフローファンの端部を覆うカバー部の上流側での空気の乱流の発生を抑制する。室内機は、クロスフローファン（１６）の軸方向の端部を覆うファン端部カバー部（２２）を備え、空気通路（１４）を形成する側部支持部材（１９）は、ファン端部カバー部（２２）から空気通路（１４）の上流側の部分が凸面部（２３）となっている。
2019077772.tif 000002
【特許請求の範囲】
【請求項１】
吸込口から吹出口に至る空気通路に、熱交換器およびクロスフローファンを備えている空気調和機の室内機において、
前記クロスフローファンの軸方向の端部を覆うファン端部カバー部と、
前記ファン端部カバー部の上流側に前記空気通路を形成する側壁部とを備え、
前記側壁部は、前記ファン端部カバー部から前記空気通路の上流側の部分が、前記クロスフローファンの端面と対向する前記ファン端部カバー部の内面よりも、前記クロスフローファンの軸方向へ突出する凸面部となっていることを特徴とする空気調和機の室内機。
【請求項２】
前記ファン端部カバー部の端部は、前記凸面部よりも前記クロスフローファンの軸方向へ突出していることを特徴とする請求項１に空気調和機の室内機。
【請求項３】
前記凸面部は、前記空気通路の上流側の端部から下流側の端部に向って、前記空気通路を狭める方向に傾斜していることを特徴とする請求項２に空気調和機の室内機。
【請求項４】
前記凸面部は、前記クロスフローファンの軸方向に対して垂直な面であり、
前記凸面部の前記空気通路の下流側の端部の位置および前記ファン端部カバー部の端部の位置は、前記クロスフローファンの軸方向において一致していることを特徴とする請求項１に空気調和機の室内機。
【請求項５】
前記凸面部は、前記空気通路の上流側の端部から下流側の端部に向って、前記空気通路を狭める方向に傾斜し、
前記凸面部の前記下流側の端部の位置および前記ファン端部カバー部の端部の位置は、前記クロスフローファンの軸方向において一致していることを特徴とする請求項１に空気調和機の室内機。
【発明の詳細な説明】
【技術分野】
【０００１】
本発明は、空気調和機の室内機に関する。
【背景技術】
【０００２】
空気調和機の室内機（以下、単に室内機と称する）には、例えば特許文献１および２に示すように、送風ファンとしてクロスフローファンを備えたものがある。このような室内機では、クロスフローファンが回転することにより、キャビネットの吸込口から常温の空気を吸い込み、吹出口から温風あるいは冷風を吹き出すようになっている。クロスフローファンは、ファンの軸方向に延びる多数のブレードが周方向に並んでおり、回転時にブレードによって空気を吸い込み、かつブレードによって空気を吹き出す。【０００３】
クロスフローファンは、軸方向の両端にエンドプレートおよび軸を有し、一方の軸がモータの回転軸と連結されており、モータに駆動されて回転する。【０００４】
したがって、クロスフローファンは、ブレードが存在しない領域が両端部に存在し、ブレードが存在しない両端部の領域と、ブレードが存在する両端部の間の領域とで圧力差が生じる。このため、クロスフローファンは、ブレードが存在しない両端部の領域では、空気の流れが不均一となる。【０００５】
そこで、従来の室内機では、特許文献１および２に開示されているように、クロスフローファンの軸方向の両端部に配置された筐体の側壁に、クロスフローファンの外周面に沿って環状に突出するカバー部を設けている。すなわち、クロスフローファンの軸方向の端部（クロスフローファンのブレードが存在しない端部の領域）をカバー部にて覆うことにより、クロスフローファンのブレードが存在しない両端部の領域と、ブレードが存在する両端部の間の領域との圧力差を解消するようにしている。
【先行技術文献】
【特許文献】
【０００６】
【特許文献１】日本国公開特許公報「特開２０１７−０２０７１３号」
【特許文献２】日本国公開特許公報「特開平８−３２７０８２号」
【発明の概要】
【発明が解決しようとする課題】
【０００７】
ところが、上記従来の構成では、図１３に示すように、吸込口から吸い込まれ、例えば熱交換器１０３を経てクロスフローファン１０４へ向う空気のうち、クロスフローファン１０４の端部へ向う空気は、カバー部材１０１のカバー部１０２の外周面と衝突して乱流１０５となる。この結果、クロスフローファン１０４内部での圧力の減少が生じ、クロスフローファン１０４が円滑に空気を吹き出し難くなり、また圧力損失の増大やサージ音の発生といった問題を招来する。【０００８】
したがって、本発明の一態様は、クロスフローファンの端部を覆うカバー部の上流側での空気の乱流の発生を抑制することができる空気調和機の室内機の提供を目的としている。
【課題を解決するための手段】
【０００９】
上記の課題を解決するために、本発明の一態様に係る空気調和機の室内機は、吸込口から吹出口に至る空気通路に、熱交換器およびクロスフローファンを備えている空気調和機の室内機において、前記クロスフローファンの軸方向の端部を覆うファン端部カバー部を備え、前記ファン端部カバー部の周りの前記空気通路に面する側壁部は、前記ファン端部カバー部から前記空気通路の上流側の部分が、前記クロスフローファンの端面と対向する前記ファン端部カバー部の内面よりも、前記クロスフローファンの軸方向へ突出する凸面部となっている。
【発明の効果】
【００１０】
本発明の一態様によれば、ファン端部カバー部の上流側での空気の乱流の発生を抑制することができる。
【図面の簡単な説明】
【００１１】
【図１】本発明の実施形態の空気調和機の室内機を示す正面図である。
【図２】図１に示した室内機の側面図である。
【図３】図２におけるＡ−Ａ矢視断面図である。
【図４】図３に示したＢ部の拡大図である。
【図５】図１に示した室内機を斜め上方から見た場合の斜視図である。
【図６】図５に示した状態から、フィルタおよび熱交換器を除去した状態の室内機の斜視図である。
【図７】図５に示した状態から、クロスフローファンを除去した状態の室内機の斜視図である。
【図８】図７に示した側部支持部材およびその付近の拡大図である。
【図９】本発明の実施形態の室内機における吸込口から吹出口に至る空気の流れを示す模式図である。
【図１０】本発明の他の実施形態の室内機における吸込口から吹出口に至る空気の流れを示す模式図である。
【図１１】本発明のさらに他の実施形態の室内機における吸込口から吹出口に至る空気の流れを示す模式図である。
【図１２】本発明のさらに他の実施形態の室内機における吸込口から吹出口に至る空気の流れを示す模式図である。
【図１３】従来の室内機における吸込口から吹出口に至る空気の流れを示す模式図である。
【発明を実施するための形態】
【００１２】
〔実施形態１〕
本発明の実施形態を図面に基づいて以下に説明する。図１は、本実施形態の空気調和機の室内機１を示す正面図である。図２は、図１に示した室内機１の側面図である。図３は、図２におけるＡ−Ａ矢視断面図である。図４は、図５に示したＢ部の拡大図である。図５は、図１に示した室内機１を斜め上方から見た場合の斜視図である。図６は、図５に示した状態から、フィルタ１７および熱交換器１５を除去した状態の室内機１の斜視図である。図７は、図５に示した状態から、クロスフローファン１６を除去した状態の室内機１の斜視図である。図８は、図７に示した側部支持部材１９およびその付近の拡大図である。
【００１３】
空気調和機の室内機１（以下、単に室内機１と称する）は、図１から図３に示すように、キャビネット１１の上面に空気の吸込口１２を有し、キャビネット１１の前面の下部に空気の吹出口１３を有する。
【００１４】
キャビネット１１の内部には、図２に示すように、吸込口１２から吹出口１３に至る空気通路１４が形成され、空気通路１４の上流側には熱交換器１５が配置され、下流側にはクロスフローファン１６が配置されている。また、吸込口１２にはフィルタ１７（図５参照）が配置され、吹出口１３には導風パネル１８が開閉可能に設けられている。
【００１５】
熱交換器１５は、前熱交換器１５ａと後熱交換器１５ｂとの２個の熱交換器を連結し、その連結部を頂部とする山形に配置した状態に設けられている。クロスフローファン１６は、熱交換器１５の前熱交換器１５ａと後熱交換器１５ｂ間の下方に配置されている。
【００１６】
クロスフローファン１６の左右の位置には、図３および図４に示すように、側部支持部材（側壁部）１９が設けられ、これら側部支持部材１９は、キャビネット１１に取り付けられている。側部支持部材１９には、熱交換器１５およびクロスフローファン１６が取り付けられている。
【００１７】
側部支持部材１９は、図３から図４および図６から図８に示すように、熱交換器配置凹部２１、ファン端部カバー部２２および凸面部２３を有している。なお、右側の側部支持部材１９は、左側の側部支持部材１９と同様、凸面部２３を有しているが、図３では、便宜上、左側の側部支持部材１９の凸面部２３のみを示している。
【００１８】
熱交換器配置凹部２１は、熱交換器１５の前熱交換器１５ａおよび後熱交換器１５ｂに対応して２個設けられている。熱交換器配置凹部２１には前熱交換器１５ａおよび後熱交換器１５ｂの端部が配置される。
【００１９】
ファン端部カバー部２２は、側部支持部材１９に対するクロスフローファン１６の取り付け部において、クロスフローファン１６の軸方向の端部を覆っている。詳細には、ファン端部カバー部２２は、凹形状を有し、クロスフローファン１６の外周面を覆う部分がクロスフローファン１６の外周面に沿って環状に突出している。このような構成により、ファン端部カバー部２２は、クロスフローファン１６の軸方向の端部（クロスフローファン１６のブレードが存在しない端部の領域）を覆っている。これにより、ファン端部カバー部２２は、クロスフローファン１６のブレードが存在しない両端部の領域と、ブレードが存在する両端部の間の領域との圧力差を解消するようにしている。
【００２０】
ファン端部カバー部２２の端部２２ａは、クロスフローファン１６の軸方向の中央部方向へ突出しており、凸面部２３よりも上記方向へ若干長く突出している。
【００２１】
凸面部２３は、側部支持部材１９におけるファン端部カバー部２２の周りの部分であり、ファン端部カバー部２２と同様、クロスフローファン１６の軸方向の中央部方向へ突出している。
【００２２】
詳細には、凸面部２３は、側部支持部材１９におけるキャビネット１１の吸込口１２からクロスフローファン１６に至る空気の経路に面する部分であり、熱交換器配置凹部２１からファン端部カバー部２２に達する面のうちファン端部カバー部２２の周りの部分である。凸面部２３は、クロスフローファン１６の端面と対向するファン端部カバー部２２の内面（クロスフローファン１６の軸方向と直交する面）よりもクロスフローファン１６の軸方向へ突出している。また、凸面部２３の空気通路１４における下流側部分は、ファン端部カバー部２２に達している。
【００２３】
クロスフローファン１６は、軸方向の両端部にエンドプレート１６ａを有し、軸方向の一方の端部、すなわち一方のエンドプレート１６ａに軸１６ｂを有し、軸方向の他方の端部にボス１６ｃを有している。ボス１６ｃは回転軸嵌合部１６ｃ１を有し、回転軸嵌合部１６ｃ１には、クロスフローファン１６を回転させるファンモータ（図示せず）の回転軸が嵌合される。
【００２４】
（室内機１の動作）
上記の構成において、本実施形態の室内機１の動作について以下に説明する。図９は、本実施形態の室内機１における吸込口１２から吹出口１３に至る空気の流れを示す模式図である。
【００２５】
室内機１が空調動作を行う場合には、クロスフローファン１６が回転し、キャビネット１１の吸込口１２から空気が吸い込まれる。その空気は、熱交換器１５を経てクロスフローファン１６に吸い込まれた後、クロスフローファン１６によって吹出口１３から吹き出される。
【００２６】
ここで、図９に示すように、吸込口１２から吸い込まれ、熱交換器１５を経てクロスフローファン１６の中央部に向う空気は、何らかの部材に邪魔されることなく空気通路１４を流れ、クロスフローファン１６に吸い込まれる。
【００２７】
一方、熱交換器１５を経てクロスフローファン１６の端部付近に向う空気は、側部支持部材１９の凸面部２３およびファン端部カバー部２２の端部２２ａを経た後、クロスフローファン１６に吸い込まれる。
【００２８】
この場合、クロスフローファン１６の端部は、ファン端部カバー部２２にて覆われているので、クロスフローファン１６のブレードが存在しない端部を空気が流れ難くなっている。したがって、クロスフローファン１６の端部と中央部との間での圧力差が生じ難く、この圧力差に起因するクロスフローファン１６の端部での乱流の発生を抑制することができる。
【００２９】
また、ファン端部カバー部２２がクロスフローファン１６の軸方向の中央部方向へ突出しているももの、ファン端部カバー部２２の周りに凸面部２３が存在していることにより、ファン端部カバー部２２の外周面、すなわちファン端部カバー部２２の上流側での空気の乱流の発生を抑制することができる。
【００３０】
ただし、本実施形態の構成では、ファン端部カバー部２２の端部２２ａが凸面部２３よりもクロスフローファン１６の軸方向の中央部方向へ突出している。しかしながら、凸面部２３よりも突出する端部２２ａは、ファン端部カバー部２２の一部であり、端部２２ａの外面（端部２２ａにおける空気の上流側）において、若干の空気の乱流が生じるものの、その乱流はクロスフローファン１６の動作に影響しない程度である。
【００３１】
（室内機１の利点）
本実施形態の室内機１では、クロスフローファン１６の端部をファン端部カバー部２２にて覆うことにより、クロスフローファン１６の端部と中央部との間での圧力差に起因するクロスフローファン１６の端部での乱流の発生を抑制することができる。
【００３２】
また、ファン端部カバー部２２の周りに凸面部２３が存在しているので、ファン端部カバー部２２の外周面（ファン端部カバー部２２の上流側）での空気の乱流の発生を抑制することができる。
【００３３】
さらに、ファン端部カバー部２２の端部２２ａが凸面部２３よりもクロスフローファン１６の軸方向の中央部方向へ突出しているので、ファン端部カバー部２２によってクロスフローファン１６の端部を十分に覆いながら、凸面部２３による上述の乱流防止機能を確保し、かつ凸面部２３によって空気通路１４が狭くなる事態、あるいは側部支持部材１９が大型化する事態を抑制することができる。
【００３４】
なお、後述の図１１に示した凸面部２３の構成は、図９に示した凸面部２３に対しても適用可能である。すなわち、図９に示した凸面部２３の外面は、図１１に示した凸面部２３の外面と同様の傾斜面となっていてもよい。
【００３５】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００３６】
図１０は、本実施形態の室内機２における吸込口１２から吹出口１３に至る空気の流れを示す模式図である。
【００３７】
図１０に示すように、本実施形態の室内機２では、ファン端部カバー部２２の端部（図９の端部２２ａに対応）は、凸面部２３よりもクロスフローファン１６の軸方向の中央部方向へ突出しておらず、凸面部２３の外面は、ファン端部カバー部２２の端部の位置と一致している。したがって、側部支持部材１９の凸面部２３は、ファン端部カバー部２２の突出する端部２２ａ（図９参照）が存在しない分、クロスフローファン１６の軸方向の中央部方向へ突出している。
【００３８】
（室内機２の利点）
本実施形態の室内機２では、凸面部２３よりも突出するファン端部カバー部２２の端部２２ａを有していないので、端部２２ａにて生じる僅かな乱流が生じない。なお、クロスフローファン１６の端部をファン端部カバー部２２にて覆うことにより、クロスフローファン１６の端部での乱流の発生を抑制できる点は、室内機１と同様である。
【００３９】
ただし、室内機２の凸面部２３は、図９に示した室内機１の凸面部２３よりも突出しているので、図９に示した構成と比較して、空気通路１４の凸面部２３に対応する部分が狭くなり、また、側部支持部材１９が大型化する。
【００４０】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４１】
図１１は、本実施形態の室内機３における吸込口１２から吹出口１３に至る空気の流れを示す模式図である。
【００４２】
図１１に示すように、本実施形態の室内機３では、ファン端部カバー部２２の端部（図９の端部２２ａに対応）は、凸面部２３よりもクロスフローファン１６の軸方向の中央部方向へ突出していない。一方、凸面部２３の外面は、上流側（熱交換器１５側）の端部から下流側（クロスフローファン１６側）の端部に向って、空気通路１４を狭める方向に傾斜し、下流側の端部はファン端部カバー部２２の端部の位置と一致している。
【００４３】
（室内機３の利点）
本実施形態の室内機３では、凸面部２３よりも突出するファン端部カバー部２２の端部２２ａ（図９参照）を有していないので、端部２２ａにて生じる僅かな乱流が生じない。なお、クロスフローファン１６の端部をファン端部カバー部２２にて覆うことにより、クロスフローファン１６の端部での乱流の発生を抑制できる点は、室内機１と同様である。
【００４４】
ただし、室内機２の凸面部２３は、図９に示した室内機１の凸面部２３よりも突出しているので、空気通路１４の凸面部２３に対応する部分が狭くなり、また、側部支持部材１９が大型化する。
【００４５】
ただし、凸面部２３の外面が上流側（熱交換器１５側）の端部から下流側（クロスフローファン１６側）の端部に向って、空気通路１４を狭める方向に傾斜している。これにより、凸面部２３は、図１０に示した室内機２の凸面部２３と比較して、吸込口１２から吸い込まれてクロスフローファン１６の端部に向う空気を円滑に案内することができる。
【００４６】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４７】
図１２は、本実施形態の室内機４における吸込口１２から吹出口１３に至る空気の流れを示す模式図である。
【００４８】
図１２に示すように、本実施形態の室内機２では、ファン端部カバー部２２の端部（図９の端部２２ａに対応）は、凸面部２３よりもクロスフローファン１６の軸方向の中央部方向へ突出しておらず、凸面部２３の外面は、ファン端部カバー部２２の端部の位置と一致している。したがって、側部支持部材１９の凸面部２３は、ファン端部カバー部２２の突出する端部２２ａが存在しない分、クロスフローファン１６の軸方向の中央部方向へ突出している。
【００４９】
また、側部支持部材１９は、図９から図１１に示した構成とは異なり、熱交換器配置凹部２１を有していない。
【００５０】
（室内機４の利点）
本実施形態の室内機４では、凸面部２３よりも突出するファン端部カバー部２２の端部２２ａ（図９参照）を有していないので、端部２２ａにて生じる僅かな乱流が生じない。なお、クロスフローファン１６の端部をファン端部カバー部２２にて覆うことにより、クロスフローファン１６の端部での乱流の発生を抑制できる点は、室内機１と同様である。
【００５１】
ただし、室内機２の凸面部２３は、図９に示した室内機１の凸面部２３よりも突出しているので、空気通路１４の凸面部２３に対応する部分が狭くなる。また、熱交換器１５は、端部がクロスフローファン１６の軸方向において凸面部２３の外面と同じ位置に存在し、室内機１〜３と比較して、クロスフローファン１６の軸方向の寸法が短くなるのを余儀なくされている。
【００５２】
〔まとめ〕
本発明の態様１に係る空気調和機の室内機は、吸込口１２から吹出口１３に至る空気通路１４に、熱交換器１５およびクロスフローファン１６を備えている空気調和機の室内機において、前記クロスフローファン１６の軸方向の端部を覆うファン端部カバー部２２と、前記ファン端部カバー部２２の上流側に前記空気通路１４を形成する側壁部（側部支持部材１９）とを備え、前記側壁部は、前記ファン端部カバー部２２から前記空気通路１４の上流側の部分が、前記クロスフローファン１６の端面と対向する前記ファン端部カバー部２２の内面よりも、前記クロスフローファン１６の軸方向へ突出する凸面部２３となっている。
【００５３】
上記の構成によれば、ファン端部カバー部２２の上流側に空気通路１４を形成する側壁部は、ファン端部カバー部２２から空気通路１４の上流側の部分が、前記クロスフローファン１６の端面と対向する前記ファン端部カバー部２２の内面よりも、クロスフローファン１６の軸方向へ突出する凸面部２３となっている。これにより、ファン端部カバー部２２の上流側での空気の乱流の発生を抑制することができる。
【００５４】
本発明の態様２に係る空気調和機の室内機は、上記態様１において、前記ファン端部カバー部２２の端部２２ａは、前記凸面部２３よりも前記クロスフローファン１６の軸方向へ突出している構成としてもよい。
【００５５】
上記の構成によれば、ファン端部カバー部２２の端部２２ａが凸面部２３よりもクロスフローファン１６の軸方向へ突出しているものの、上記端部２２ａの突出部分は、ファン端部カバー部２２の一部である。したがって、上記端部２２ａの突出部分の外面により若干の空気の乱流が生じるものの、その乱流はクロスフローファン１６の動作に影響しない程度である。
【００５６】
これにより、クロスフローファン１６の軸方向への凸面部２３の突出量を少なくし、ファン端部カバー部２２にてクロスフローファン１６の端部を十分に覆うことができる。したがって、凸面部２３によりファン端部カバー部２２の上流側での空気の乱流の発生を抑制し、かつ凸面部２３の存在により空気通路１４が狭くなる事態、あるいは凸面部２３を有する側壁部が大型化する事態を抑制することができる。
【００５７】
本発明の態様３に係る空気調和機の室内機は、上記態様２において、前記凸面部２３は、前記空気通路１４の上流側の端部から下流側の端部に向って、前記空気通路１４を狭める方向に傾斜している構成としてもよい。
【００５８】
上記の構成によれば、凸面部２３は、空気通路１４の上流側の端部から下流側の端部に向って、空気通路１４を狭める方向に傾斜しているので、吸込口１２から吸い込まれてクロスフローファン１６の端部に向う空気を円滑に案内することができる。
【００５９】
本発明の態様４に係る空気調和機の室内機は、上記態様１において、前記凸面部２３は、前記クロスフローファン１６の軸方向に対して垂直な面であり、前記凸面部２３の前記空気通路１４の下流側の端部の位置および前記ファン端部カバー部２２の端部の位置は、前記クロスフローファン１６の軸方向において一致している構成としてもよい。
【００６０】
上記の構成によれば、凸面部２３は、クロスフローファン１６の軸方向に対して垂直な面であり、凸面部２３の空気通路１４の下流側の端部の位置およびファン端部カバー部２２の端部の位置は、クロスフローファン１６の軸方向において一致している。したがって、ファン端部カバー部２２の上流側での空気の乱流の発生を確実に抑制することができる。
【００６１】
本発明の態様５に係る空気調和機の室内機は、上記態様１において、前記凸面部２３は、前記空気通路１４の上流側の端部から下流側の端部に向って、前記空気通路１４を狭める方向に傾斜し、前記凸面部２３の前記下流側の端部の位置および前記ファン端部カバー部２２の端部の位置は、前記クロスフローファン１６の軸方向において一致している構成としてもよい。
【００６２】
上記の構成によれば、凸面部２３の空気通路１４の下流側の端部の位置およびファン端部カバー部２２の端部２２ａの端部の位置がクロスフローファン１６の軸方向において一致しているので、ファン端部カバー部２２の上流側での空気の乱流の発生を確実に抑制することができる。
【００６３】
また、凸面部２３は、空気通路１４の上流側の端部から下流側の端部に向って、空気通路１４を狭める方向に傾斜しているので、吸込口１２から吸い込まれてクロスフローファン１６の端部に向う空気を円滑に案内することができる。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６５】
１〜４    室内機
１１    キャビネット
１２    吸込口
１３    吹出口
１４    空気通路
１５    熱交換器
１６    クロスフローファン
１６ａ  エンドプレート
１６ｂ  軸
１６ｃ  ボス
１７    フィルタ
１８    導風パネル
１９    側部支持部材（側壁部）
２１    熱交換器配置凹部
２２    ファン端部カバー部
２２ａ  端部
２３    凸面部
【図１】
2019077772.tif 000003
【図２】
2019077772.tif 000004
【図３】
2019077772.tif 000005
【図４】
2019077772.tif 000006
【図５】
2019077772.tif 000007
【図６】
2019077772.tif 000008
【図７】
2019077772.tif 000009
【図８】
2019077772.tif 000010
【図９】
2019077772.tif 000011
【図１０】
2019077772.tif 000012
【図１１】
2019077772.tif 000013
【図１２】
2019077772.tif 000014
【図１３】
2019077772.tif 000015
【国際調査報告】
2019077772.tif 000016
2019077772.tif 000017
2019077772.tif 000018